(57)【要約】      （修正有）【課題】褄上げを容易にするため、スカート部の両端を後身頃から斜めに形成して短くすることで、初心者や外国人の方でも美しく簡単に着ることができる二部式着物を提供する。【解決手段】褄上げのため、下前身頃２５と上前身頃２６の両端の長さを変えたスカート部２の上部に、ゴムベルトが挿入される筒状のベルト入れ２２を設け、装着者のウェスト位置にスカート部２のギャザーが形成されることで、簡単にしかも美しく着物が着付けられる。【選択図】図５
0003218364.tif 000002
【実用新案登録請求の範囲】
【請求項１】
上衣部と、下前身頃、上前身頃と後身頃を有するスカート部から構成される二部式着物であって、後身頃から斜めに形成された前記下前身頃と前記上前身頃は端部の長さが異なり、スカート部の上部にはゴムベルトが挿入されるベルト入れが設けられたことを特徴とする二部式着物。
【請求項２】
前記上衣部の下部には、調整紐が縫い付けられたおはしょり部が設けられ、前記調整紐によって、当該上衣部の長さを身丈に応じて調整できることを特徴とする請求項１記載の二部式着物。
【請求項３】
前記上衣部の衿両端には、１対の腰紐が縫い付けられていることを特徴とする請求項１記載の二部式着物。
【請求項４】
前記上衣部の衿には、衿芯が挿入されていることを特徴とする請求項３記載の二部式着物。
【請求項５】
前記上衣部の背面側には、装着者の腰の位置に、共布で衣紋抜きが設けられ、前記衣紋抜きには調整紐が取り付けられていることを特徴とする請求項１記載の二部式着物。
【請求項６】
前記上衣部背面のほぼ腰の位置には、２本のダーツが設けられていることを特徴とする請求項５記載の二部式着物。
【請求項７】
さらに、前記二部式着物の上に装着する飾り帯と胴巻き部とを有する帯であって、前記胴巻き部の表面と裏面には両面テープ貼付され、前記胴巻き部の両端には固定紐が縫いつけられていることを特徴とする請求項１記載の二部式着物。
【考案の詳細な説明】
【技術分野】
【０００１】  本考案は、簡単に着付けが出来る二部式着物に関するものである。
【背景技術】
【０００２】  着物は、世界に誇れる民族衣装であるにも拘わらず着付けの難しさから、現在では着物を着ることが敬遠されている。着付けは、衣紋の抜き方、おはしょり部、スカート部の褄上げなどが技術を要するので、難しく綺麗に着ることができない。そこで、簡単に着物を着付けることを目指して、特許文献１に示すような３分割簡易和服等が提案されている。
【先行技術文献】
【０００３】
【特許文献】
【特許文献】実用新案登録第３２１０４４６号
【考案の概要】
【考案が解決しようとする課題】
【０００４】  特許文献に示す３分割簡易和服では、スカート部の褄上げを衽幅のみで褄上げした場合、上前、下前に皺が寄りやすくなる。また、胴回りで余分な布が重なるため背面による皺を整えることは容易ではない。そこで、おはしょり部を別に作り３分割和服としているが、優美な着物がきれぎれになり美的ではない印象を受けるという問題があった。本考案は、洋服と同じ感覚で簡単に着付けが出来る二部式着物を提供することにある。
【課題を解決するための手段】
【０００５】  本考案の二部式着物は、スカート部２の上端部に共布で筒状のベルト入れ２２が設けられている。このベルト入れ２２には、ゴムベルトが挿入される。スカート部２は、下前身頃２５、上前身頃２６と２枚の後身頃２７で構成されている。なお、下前身頃２５は、衽２５１と身頃２５２で構成され、上前身頃２６も同様に衽２６１と身頃２６２で構成される。下前身頃２５は、図５に示すように後身頃２７より端部に沿って長さが短くなっている。また、上前身頃２６も同様に端部に沿って短くなっているが、下前身頃２５よりは長くなっている。これにより、着付け時には、自然に裾上げができるので、図１に示すようなきれいな着付けとなる。このように、従来の褄を上げる難易な着付けの作業が解決される。
【考案の効果】
【０００６】  上記の様に、本考案の二部式着物は、スカート部２にベルト入れ２２を設けることで技術を要する褄上げを行う必要がなくなる。また、着物を着るときには、おはしょり部１６の調整紐１７によって、上衣部１の長さを身丈に応じて調整できる。さらに、おはしょり部１６に縫い付けられた結び紐１８は、下前身頃２５を体の前に持ってくるときと上前身頃２６を下前身頃２５の上に重ねるときに使用される。これらにより、二部式着物は、洋服の感覚で簡単に着付けることができる。
【図面の簡単な説明】
【０００７】
【図１】本考案に係る二部式着物８の全体図を示す。
【図２】上衣部１の正面図である。
【図３】上衣部１の背面図である。
【図４】上衣部１のおはしょり部１６を示す図である。
【図５】スカート部２を示す図である。
【図６】上衣部４の正面図である。
【図７】襦袢５の背面を示す図である。
【図８】胴巻き部６の全体を示す図である。
【図９】飾り帯７の完成図である。
【図１０】二部式浴衣３の正面図を示す図である。
【図１１】二部式浴衣３の背面図を示す図である。
【考案を実施するための形態】
【０００８】  図１から図１１に従って、本考案にかかる二部式着物を説明する。なお、ここでは二部式着物の一例を示すもので、これに限定されるものではない。
【実施例】  図１は、本考案に係る二部式着物の全体を示す図である。二部式着物は、上衣部１、スカート部２と、胴巻き部６と飾り帯７からなる帯を有して構成される。【０００９】  二部式着物８の上衣部１を、図２から図４に沿って説明する。
図２は、二部式着物８の上衣部１の正面図である。上衣部１は、後述するおはしょり部１６を含んだ上衣上前身頃、上衣下前身頃１１、衿１２、袖１３で構成される。図３は、上衣部１の背面図を示す図である。上衣部１は、背面に２本のダーツ１４を取ることで背なかに寄る皺を解消している。【００１０】  図４は、上衣部１の下部におはしょり部１６を設けている。おはしょり部１６には、上下に１４本の調整紐１７と４本の結び紐１８が縫い付けられている。この調整紐１７は、着物を着る場合に身丈に応じて上衣部１の長さを調整することができる。結び紐１８は４本で２対となっており、３本の結び紐１８ａ、１８ｂと１８ｃはおはしょり部１６裏側（着る人側）に縫い付けられ、１本の結び紐１８ｄはおはしょり部１６の表側に縫い付けられている。これらの結び紐１８は、上衣部１を着付けるときに使用される。【００１１】  まず、衿１２の右下端の結び紐１８ａとおはしょり部１６の左上部の脇側に縫い付けられた結び紐１８ｂとが１対となり、右側の上衣部下前身頃１１１を体の左側に持ってくるときに結び紐１８ａと１８ｂが結ばれる。次に、衿１２の左下の結び紐１８ｃとおはしょり部１６の右上部の表側に縫い付けられた結び紐１８ｄによって、左側の上衣上前身頃１１２を右側の上衣上前身頃１１１に重ねるときに結ばれる。【００１２】  なお、従来であれば、２重となった上衣上前身頃１１２と２重となった下前身頃１１１が重なるので４重となる。この結び紐１８ａと結び紐１８ｂを結ぶことにより、下前身頃１１１が斜め上にて結ばれることになる。結び紐１８ｃと結び紐１８ｄによって上衣上前身頃１１２が上記下前身頃１１１との重なりを防ぐので、綺麗に着付けることができる。こうして、上衣部は、洋服の感覚で簡単に着付けることができる。【００１３】  ２本の腰紐１９は、両衿１２の下端のやや上（おはしょり部１６の上の位置）に縫い付けられている。なお、二部式着物を着る人の上衣部１の身丈寸法がわかる場合、裾の部分を体の内側に折って、ウエスト部分に縫い付けることで、簡単におはしょり部１６ができる。【００１４】  図５に沿って、二部式着物８のスカート部２を説明する。なお、図５はスカート部２の体の内側から見た（着たときに体側に接触する）図である。スカート部２は、下前身頃２５、上前身頃２６と２枚の後身頃２７の６枚はぎで構成される。下前身頃２５は、衽２５１と身頃２５２で構成され、上前身頃２６も同様に衽２６１と身頃２６２で構成される。下前身頃２５は、図５に示すように褄上げのために、後身頃２７より端部に沿って長さが短くなっている。また、上前身頃２６も同様に端部に沿って短くなっているが、下前身頃２５よりは長くなっている。【００１５】  スカート部２の上部には、二部式着物８の両端が開放されている共布で筒状のベルト入れ２２が設けられている。ゴムベルトは、伸縮自在で装着者のウエスト回りに沿った長さであり、ベルト入れ２２より短い。ゴムベルトは、ベルト入れ２２に挿入された後、ゴムベルトの端部はベルト入れ２２の端部に縫い留められる。また、ゴムベルトは、ベルト入れ２２に挿入しながらベルト入れ２２を手繰り寄せ、ゴムベルトの他の端部はベルト入れ２２の他の端部に縫い留められる。こうして、スカート部２にはギャザ―が形成されるので、着付けが容易となる。【００１６】  ベルト入れ２２には、実線で示す１対のボタン２３ａとボタン穴２３ｂとホック２４ａが設けられ、ベルト入れ２２の反対側に破線で示すアイ２４ｂが設けられている。スカート部２を装着する場合、右衽２５１を体の前部分に持っていき、ベルト入れ２２に設けられたボタン２３ａをボタン穴２３ｂに入れ、右衽２５１を留める。また、左衽２６１を体の前に巻き込むように持っていき、ホック２４ａをアイ２４ｂにかけることで、スカート部２が体に装着される。これにより、従来の煩雑な着付けが技術を要することなく、洋服のように簡単に、しかも美しく着付けることができる。【００１７】  図６は、上衣部１の変形例を示す上衣部４を示す図である。この上衣部４は、後述する襦袢５を着用した際に着るものである。３ヶ所の凹部４１（ホック）は、上衣部４の衿１２の後衿中央側の衿肩あきの両端と真ん中に縫い付けられている。【００１８】  図７は、上衣部４の下に着用する襦袢５の背面図である。後衿中央外側には、上衣部４の凹部４１（ホック）に対応する位置に凸部５１（ホック）が３ヶ所縫い付けられている。また、襦袢背面には、衣紋抜き５２、ダーツ５３と衣紋抜き５２に縫い付けられた調整紐５４が設けられている。【００１９】  次に、襦袢５を使用したときの、二部式着物８の着付けについて説明する。図示しない襦袢スカート部を着付けた後に、凹部４１（図６参照）と凸部５１のホックにて、上衣部４と襦袢５を後衿で固定され、上衣部４と襦袢５が合わせて着られる。襦袢の右下前を左脇に持ってゆき、次に左上前を下前に重ねながら右脇に移す。調整紐５４によって、衣紋を抜いて上衣部４が前で結ばれる。こうして、衣紋の抜き、衿の固定、ダーツによって余分な後身頃幅を解消したことで着付けが容易になる。【００２０】  図８は、胴巻き部６を表側から見た図である。長方形の胴巻き部６は、図示されるように裏側にくけて閉じる。また、右端の上部に固定紐６１が縫い付けられている。反対側にも同じように固定紐６１が縫い付けられている。胴巻き部６には、裏側に帯の皺を防ぐため帯板入れ６２が縫い付けられており、また胴巻き部６の裏側に１つ、表側に１つの両面テープ６３が貼付されている。【００２１】  図９は、飾り帯７の完成図を示す。飾り帯７は、飾り帯本体７１と手先７２から構成される。手先７２は、表に縫い目が見えないように飾り帯本体７１を巻き込む。手先７２の一端は、飾り帯本体７１の蝶の下端部分に縫い付けられている（７２ａ）。また、手先７２の他端は、図示のように芯を挿入する部分が構成される（７２ｃ）。手先７２は、７２ａの位置から約３ｃｍ下の部分に芯を止めるために縫われる（７２ｂ）。手先７２の下端部から芯が内側に挿入されたあと、手先７２の下端はくけ縫いされる。こうして、芯の落下を防ぐことができる。【００２２】  二部式浴衣について、図１０と図１１に沿って説明する。なお、二部式浴衣は、二部式着物の襦袢を装着しないものをいう。図１０は、浴衣上衣部３の正面図を示し、図１１は浴衣上衣部３の背面図を示す。衿１２は、掛け衿と衿本体で構成されている。掛け衿は、衿本体の汚れを防ぐ���めに後衿から衿本体を包むように衿本体の途中まで形成され、内側には衿芯３１が挿入されるように両端が開放されている。衿芯３１が挿入されたあと、掛け衿の両端部は衿本体に縫い付けられる。また、縫い付けの代わりに、ホックなどで掛け衿の両端を留めてもよい。【００２３】  図１１は、浴衣上衣部３の構成と同一の背面図である。背面の皺を解決するために２本のダーツ３３が設けられている。背面の腰の位置には、衣紋抜き３２と調整紐３４が縫い付けられている。これらにより、凛とした清潔感ある着付けが可能となる。【００２４】  次に浴衣の着付けについて説明する。先ず、上記に説明したようにスカート部５を装着し、そのあとで浴衣上衣部３を着る。着付け方は、上記に説明したように、下前身頃を左脇に持っていき、上前身頃をその上に重ねて右脇に持っていく。衣紋抜き３２に固定または挿入された調整紐３４にて、前衿の開き具合を調整しながら、浴衣上衣部３を前で結び、衿を固定させる。こうして浴衣が着付けられる。
【符号の説明】
【００２５】  １  上衣部
２  スカート部
３  浴衣
４  上衣部
５  襦袢
６  胴巻き部
７  飾り帯出来上がり図
８  二部式着物
２２  ベルト入れ
【図１】
0003218364.tif 000003
【図２】
0003218364.tif 000004
【図３】
0003218364.tif 000005
【図４】
0003218364.tif 000006
【図５】
0003218364.tif 000007
【図６】
0003218364.tif 000008
【図７】
0003218364.tif 000009
【図８】
0003218364.tif 000010
【図９】
0003218364.tif 000011
【図１０】
0003218364.tif 000012
【図１１】
0003218364.tif 000013